(57)【要約】【課題】ランダムな文字や記号などの情報を簡単に見えない部位に印刷を可能にした二重カップを提供すること。【解決手段】胴部（１１）と底部（１２）とからなり、開口部周縁が外側にカールした口縁部（１３）を有し、胴部と底部の接合部分に環状脚部（１４）を形成させた紙カップ本体（１０）と、紙カップ本体の胴部外側に貼着される筒体（２０）とから構成される二重カップ（１）であって、筒体には易剥離部分（２１）が形成され、易剥離部分の筒体の裏側、又は、易剥離部分に重なる胴部には文字や記号（２２）が記されている。【選択図】図２
2004161375.tif 000002
【特許請求の範囲】
【請求項１】
胴部と底部とからなり、開口部周縁が外側にカールした口縁部を有し、胴部と底部の接合部分に環状脚部を形成させた紙カップ本体と、紙カップ本体の胴部外側に貼着される筒体とから構成される二重カップであって、
前記筒体には易剥離部分が形成され、該筒体の易剥離部分、又は、筒体の易剥離部分と重なる紙カップ本体の胴部には文字や記号が記されていることを特徴とする二重カップ。
【請求項２】
前記文字や記号が、抽選の対象となる情報、応募資格を表すランダムな数字や文字などの情報、直接の当落の情報、あるいは、占いや御神籤であることを特徴とする請求項１記載の二重カップ。
【請求項３】
前記ランダムな数字や文字などの情報は、紙カップ本体又は筒体の作製過程あるいは紙カップ本体に筒体を貼着する過程でインクジェット印字機にランダム数字プログラマーを取り付けることにより易剥離部分に取り込まれることを特徴とする請求項１又は２記載の二重カップ。
【請求項４】
前記易剥離部分がミシン目線により区画形成されていることを特徴とする請求項１、２又は３記載の二重カップ。
【請求項５】
前記易剥離部分がミシン目線と全切線により区画形成されていることを特徴とする請求項１、２又は３記載の二重カップ。
【請求項６】
前記易剥離部分の少なくとも一部が外側に隆起していることを特徴とする請求項１、２、３、４又は５記載の二重カップ。
【請求項７】
前記筒体に区画形成される易剥離部分に隣接して開孔部が区画形成されていることを特徴とする請求項１、２又は３記載の二重カップ。
【発明の詳細な説明】
【０００１】
【発明の属する技術分野】
本発明は紙カップ本体とその胴部外側に貼着される筒体から構成される二重カップに関し、特には、筒体を剥がすと文字や記号が表れるようにした二重カップに関する。
【０００２】
【従来の技術】
菓子カートン等を購入した消費者が菓子カートン等を開けて、中に例えば、当たり券が入っていれば商品等が貰える、といった懸賞付きカートンの販売促進方法は良く知られている。
【０００３】
本発明は、この考え方をカップラーメン等の二重カップに応用したもので、二重カップの通常は見えない部位に、例えば、「当たり」や「はずれ」等の文字や記号を印刷しようとしたものある。しかしながら、通常の方法では、「当たり」や「はずれ」の組み合わせが多くなり、印刷の面付けや帳合い等で対応していたのでは、コストアップになったり、小ロットものの場合には特にやりづらいといった問題がある。
【０００４】
【発明が解決しようとする課題】
本発明は、懸賞付きの二重カップに関する以上のような問題点を解決するためになされたもので、ランダムな文字や記号などの情報を簡単に見えない部位に印刷を可能にした二重カップを提供することを課題とする。
【０００５】
【課題を解決するための手段】
本発明の請求項１の発明は、胴部と底部とからなり、開口部周縁が外側にカールした口縁部を有し、胴部と底部の接合部分に環状脚部を形成させた紙カップ本体と、紙カップ本体の胴部外側に貼着される筒体とから構成される二重カップであって、前記筒体には易剥離部分が形成され、該筒体の易剥離部分、又は、筒体の易剥離部分と重なる紙カップ本体の胴部には文字や記号が記されていることを特徴とする二重カップ。
【０００６】
このように請求項１記載の発明によれば、筒体の易剥離部分、又は、筒体の易剥離部分と重なる紙カップ本体の胴部には文字や記号が記されているので、二重カップを使用後、筒体を易剥離部分から剥がすと、そこには文字や記号を読み取ることができる。
【０００７】
また、請求項２の発明は、請求項１の発明において、前記文字や記号が、抽選の対象となる情報、応募資格を表すランダムな数字や文字などの情報、直接の当落の情報、あるいは、占いや御神籤であることを特徴とする二重カップである。
【０００８】
このように請求項２記載の発明によれば、文字や記号が、抽選の対象となる情報、応募資格を表すランダムな数字や文字などの情報、直接の当落の情報、あるいは、占いや御神籤であるので、商品の販売促進手段として活用できる。
【０００９】
また、請求項３の発明は、請求項１又は２の発明において、前記ランダムな数字や文字などの情報は、紙カップ本体又は筒体の作製過程あるいは紙カップ本体に筒体を貼着する過程でインクジェット印字機にランダム数字プログラマーを取り付けることにより易剥離部分に取り込まれることを特徴とする二重カップである。
【００１０】
このように請求項３記載の発明によれば、ランダムな数字や文字などの情報は、紙カップ本体又は筒体の作製過程あるいは紙カップ本体に筒体を貼着する過程でインクジェット印字機にランダム数字プログラマーを取り付けることにより易剥離部分に取り込まれるので、比較的簡単に多数の組み合わせを容易に作りだすことできる。
【００１１】
また、請求項４の発明は、請求項１、２又は３の発明において、前記易剥離部分がミシン目線により区画形成されていることを特徴とする二重カップである。
【００１２】
このように請求項４記載の発明によれば、易剥離部分はミシン目線により区画形成されているので、簡単に易剥離部分を引き剥がすことができる。
【００１３】
また、請求項５の発明は、請求項１、２又は３の発明において、前記易剥離部分がミシン目線と全切線により区画形成されていることを特徴とする二重カップである。
【００１４】
このように請求項５記載の発明によれば、易剥離部分はミシン目線と全切線により区画形成されているので、全切線より引き剥がしを開始することにより簡単に易剥離部分を引き剥がすことができる。
【００１５】
また、請求項６の発明は、請求項１、２、３、４又は５の発明において、前記易剥離部分の少なくとも一部が外側に隆起していることを特徴とする二重カップである。
【００１６】
このように請求項６記載の発明によれば、易剥離部分の少なくとも一部が外側に隆起しているので、隆起部分が易剥離部分を剥がすきっかけとすることによりより簡単に易剥離部分を剥がすことができるようになる。
【００１７】
また、請求項７の発明は、請求項１、２又は３の発明において、前記筒体に区画形成される易剥離部分に隣接して開孔部が区画形成されていることを特徴とする請求項１、２又は３記載の二重カップである。
【００１８】
このように請求項７記載の発明によれば、筒体に区画形成される易剥離部分に隣接して開孔部が区画形成されているので、開口部に指などを入れることにより、より簡単に易剥離部分を引き剥がすことができる。
【００１９】
【発明の実施の形態】
本発明の二重カップを一実施形態に基づいて以下に詳細に説明する。
本発明の二重カップは、例えば、図１、図２に示すように、胴部（１１）と底部（１２）とからなり、開口部周縁が外側にカールした口縁部（１３）を有し、胴部と底部の接合部分に環状脚部（１４）を形成させた紙カップ本体（１０）と、紙カップ本体の胴部外側に貼着される筒体（２０）とから構成される二重カップ（１）である。
【００２０】
そして、筒体（２０）の内側には易剥離部分（２１）が形成され、この筒体の易剥離部分（２１）、又は、筒体の易剥離部分と重なる紙カップ本体の胴部（１１）には文字や記号（２２）が記されている。
【００２１】
文字や記号（２２）は、抽選の対象となる情報、応募資格を表すランダムな数字や文字などの情報、直接の当落の情報、あるいは、占いや御神籤である。
【００２２】
易剥離部分（２１）をミシン目線（ａ）により区画形成させると易剥離部分を筒体から分離する際、便利である。
区画形成される易剥離部分（２１）の形状は、図１の形状に限定されるものではなく、短冊状、円形状、星形状等任意である。
図１において、文字や記号（２２）が紙カップ本体の胴部（１１）に記されているが、筒体（２０）の裏側に記しても構わないことはもちろんである。
【００２３】
また、易剥離部分（２１）をミシン目線（ａ）と全切れ線（ｂ）により区画形成させても良い。部分的に全切れ線（ｂ）を設けることにより、全切れ線（ｂ）から引き剥がしを開始することができ、その場合、より簡単に易剥離部分（２１）を筒体から引き剥がすことができる。
【００２４】
さらに、易剥離部分（２１）の少なくとも一部を外側に隆起（２３）させても良い。隆起部分（２３）を形成させることにより、易剥離部分の引き剥がしがさらに容易になる（図３参照）。
隆起部分（２３）は、外側に凸状のエンボスを形成させるなどの一般的に公知の浮き上げ技術を使用することにより形成させることができる。
【００２５】
筒体に区画形成される易剥離部分（２１）に隣接して開孔部（２４）を区画形成させても良い。このようにすることにより、開孔部（２４）から指を入れるなどして易剥離部分（２１）を容易に引き剥がすことができる（図４参照）。
【００２６】
紙カップ本体（１０）は、胴部（１１）を形成する胴部材、底部（１２）を形成する底部材ともに、坪量が１７０〜４００ｇ／ｍ2 程度のカップ原紙の片面又は両面にポリエチレン樹脂を１５〜４０μｍ程度塗布したポリエチレン加工紙を用いて、ポリエチレン樹脂面を内側にして一般的に公知の紙カップ成形機で作製することができる。
【００２７】
筒体（２０）は、二重カップ（１）に、例えば、断熱性を持たせるために設けるもので、波状紙の上に薄紙を貼着したもの、凹凸模様を形成させたエンボス紙の上に板紙を貼着したもの、上端又は下端を内方にカールさせた巻き込みぼ形成させた板紙等を紙カップ本体の胴部に巻き付けたり、嵌め込んだりして形成させる。
【００２８】
ランダムな数字や文字などの情報（２２）は、紙カップ本体（１０）又は筒体（２０）作製過程、あるいは紙カップ本体（１０）に筒体（２０）を貼着又は嵌め込む過程で、例えば、インキジェット印字機にランダムプログラマーを取り付けることにより紙カップ本体の胴部（１１）外側、あるいは筒体（２０）の内側に印刷することができる。
【００２９】
ランダムな数字や文字などの情報（２２）は、紙カップ本体の胴部（１１）外側、あるいは筒体（２０）の内側に印刷されるので、二重カップに成形後は、カップを壊さないかぎり外から解読することはできない。
【００３０】
【発明の効果】
上記のように、本発明の二重カップは、下記に示す如き効果がある。
即ち、ランダム数字プログラマーを取り付けたインキジェット印字機で文字や記号を印字するので、文字や記号の印刷が容易で、例えば、当たりや外れの組み合わせも無数に多くすることができる。
また、易剥離部分をミシン目線に沿って剥がすことで、容易に数字や文字などの情報を読み取ることができる。
【図面の簡単な説明】
【図１】本発明の二重カップの一実施例の易剥離部分を剥がす前の状態を示す、斜視説明図である。
【図２】本発明の二重カップの一実施例の易剥離部分を剥がした後の状態を示す、斜視説明図である。
【図３】本発明の二重カップの別の実施例の易剥離部分を剥がす前の状態を示す、斜視説明図である。
【図４】本発明の二重カップのさらに別の実施例の易剥離部分を剥がす前の状態を示す、斜視説明図である。
【符号の説明】
１‥‥二重カップ
１０‥‥紙カップ本体
１１‥‥胴部
１２‥‥底部
１３‥‥口縁部
１４‥‥環状脚部
２０‥‥筒体
２１‥‥易剥離部分
２２‥‥文字、記号
２３‥‥隆起部分
２４‥‥開孔部
ａ‥‥ミシン目線
ｂ‥‥全切線
【図１】
2004161375.tif 000003
【図２】
2004161375.tif 000004
【図３】
2004161375.tif 000005
【図４】
2004161375.tif 000006